(57)【要約】【課題】収容庫天面の前端部側に結露した水滴が収容庫内に垂れることを抑制することのできる恒温高湿庫を提供する。【解決手段】収容庫２０の天面２１に結露した水滴を受ける露受け部材４０を、固定具５０により収容庫２０の上部に固定した恒温高湿庫１において、露受け部材４０は、収容庫２０に結露した主な水滴を受ける第１受け部４１と、第１受け部４１の前端４１ａから上方に立ち上がる第２受け部４３と、を備え、第２受け部４３は、固定具５０により固定した。【選択図】図３
2019045005.tif 000002
【特許請求の範囲】
【請求項１】
収容庫の天面に結露した水滴を受ける露受け部材を、固定具により前記収容庫の上部に固定した恒温高湿庫において、
前記露受け部材は、収容庫に結露した主な水滴を受ける第１受け部と、前記第１受け部の前端部から上方に立ち上がる第２受け部と、を備え、
前記第２受け部は、前記固定具により固定されていることを特徴とする恒温高湿庫。
【請求項２】
前記第１受け部と前記第２受け部とがなす立ち上がり角度は、鈍角であることを特徴とする請求項１に記載の恒温高湿庫。
【請求項３】
前記露受け部材を固定した状態における前記固定具の高さ方向の下端の高さは、前記第２受け部が立ち上がる前記第１受け部の前端部の高さよりも上方に位置することを特徴とする請求項１又は請求項２に記載の恒温高湿庫。
【請求項４】
前記露受け部材は、親水性であり、
前記露受け部材に水滴が付着したときの接触角は、１０度以下であることを特徴とする請求項１から請求項３の何れか一項に記載の恒温高湿庫。
【発明の詳細な説明】
【技術分野】
【０００１】
本発明は、恒温高湿庫に関する。
【背景技術】
【０００２】
従来、恒温高湿庫の収容庫は、低温・高湿度の為、外気の侵入により内部が結露しやすい状態となっている。恒温高湿庫の収容庫が結露した場合、収容庫の天面に結露した水滴が収容庫内に垂れる恐れがある。
そのため、この種の恒温高湿庫では、天面に付く水滴を受けて収容庫背面に流すための露受け部材を取り付けている（例えば、特許文献１参照）。
【先行技術文献】
【特許文献】
【０００３】
【特許文献１】特開平９−１５９３４７号公報
【発明の概要】
【発明が解決しようとする課題】
【０００４】
しかしながら、収容庫の扉の内面と露受け部材の前端とが接触してしまうことを防止するため、従来の露受け部材は、収容庫の前端より内側の位置から収容庫背面に向けて配置されており、収容庫の扉の内面と露受け部材の前端との間には一定の間隔を設けている。そのため、露受け部材により収容庫天面の前端部側に結露した水滴を受けることができず、収容庫天面の前端部側に結露した水滴が収容庫に垂れやすいという課題があった。
本発明は、上述した課題を解決するものであり、収容庫天面の前端部側に結露した水滴が収容庫内に垂れることを抑制することのできる恒温高湿庫を提供することを目的とする。
【課題を解決するための手段】
【０００５】
上記目的を達成するために、本発明は、収容庫の天面に結露した水滴を受ける露受け部材を、固定具により前記収容庫の上部に固定した恒温高湿庫において、前記露受け部材は、収容庫に結露した主な水滴を受ける第１受け部と、前記第１受け部の前端部から上方に立ち上がる第２受け部と、を備え、前記第２受け部は、前記固定具により固定されていることを特徴とする。
【発明の効果】
【０００６】
本発明によれば、露受け部材を収容庫の前端部分にまで配置することができ、収容庫天面の前端部側に結露した水滴が収容庫内に垂れることを抑制することのできる恒温高湿庫を提供できる。
【図面の簡単な説明】
【０００７】
【図１】本発明の実施形態に係る恒温高湿庫の正面図
【図２】恒温高湿収容庫を側面から見た模式図
【図３】図２におけるＢ部分の拡大図
【図４】恒温高湿庫の収容庫上部の分解図
【図５】恒温高湿庫の収容庫上部の分解図
【図６】露受け機構の側面図
【発明を実施するための形態】
【０００８】
第１の発明における恒温高湿庫は、収容庫の天面に結露した水滴を受ける露受け部材を、固定具により前記収容庫の上部に固定した恒温高湿庫において、前記露受け部材は、収容庫に結露した主な水滴を受ける第１受け部と、前記第１受け部の前端部から上方に立ち上がる第２受け部と、を備え、前記第２受け部は、前記固定具により固定されていることを特徴とする。
この発明によれば、露受け部材に段階的に角度をつけることにより、露受け部材を収容庫の前端部分にまで配置することができ、収容庫天面の前端部側に結露した水滴が収容庫内に垂れることを抑制することのできる恒温高湿庫を提供できる。
【０００９】
第２の発明における恒温高湿庫は、第１の発明において、前記第１受け部と前記第２受け部とがなす立ち上がり角度は、鈍角であることを特徴とする。
この発明によれば、露受け部材は前方に角度をつけた段階的形状を備えるので、露受け部材を収容庫の前端部分にまで配置することが容易となり、収容庫天面の前端部側に結露した水滴が収容庫内に垂れることを抑制できる。
【００１０】
第３の発明における恒温高湿庫は、第１の発明又は第２の発明において、前記露受け部材を固定した状態における前記固定具の高さ方向の下端の高さは、前記第２受け部が立ち上がる前記第１受け部の前端部の高さよりも上方に位置することを特徴とする。
この発明によれば、固定具自身に結露した水滴が第１受け部に流れることを促進でき、結露した水滴が収容庫内に垂れることを抑制できる。
【００１１】
第４の発明における恒温高湿庫は、第１の発明から第３の発明の何れかの発明において、前記露受け部材は、親水性であり、前記露受け部材に水滴が付着したときの接触角は、１０度以下であることを特徴とする。
この発明によれば、露受け部材に水滴が付着したときの接触角を１０度以下とすることにより、収容庫の天面近傍に結露した水滴を露受け部材に水滴を導くことが容易となり、結露した水滴が収容庫内に垂れることを抑制できる。
【００１２】
以下、本発明の実施の形態について、図面を参照しながら説明する。なお、本実施の形態によって本発明が限定されるものではない。
【００１３】
図１は、本発明の実施形態に係る恒温高湿庫１の正面図である。図２は、恒温高湿庫１内を側面から見た模式図である。図３は、図２におけるＢ部分の拡大図である。図１における恒温高湿庫１の正面視を基準として、右側を右、左側を左、上側を上、下側を下、奥側を後、手前側を前、と定義する。また、恒温高湿庫１における前後の方向を前後方向とし、恒温高湿庫１における左右の方向を左右方向とし、恒温高湿庫１における上下の方向を高さ方向とする。
【００１４】
恒温高湿庫１は、冷却室３と、冷却室３の上部に備えられる機械室５と、を備えている。
機械室５には、冷凍サイクルの一要素を構成する不図示の圧縮機、凝縮器等が備えられている。
冷却室３は、断熱箱１１と、断熱箱１１の前面に設けられる断熱扉１３と、を備えている。断熱扉１３は、ステンレスの窓枠１３ｂを備える。
冷却室３は、上下２段にそれぞれ収容庫２０を備える。
断熱箱１１と収容庫２０との間には、図２に示すように、冷気が循環する通風路１５が備えられている。
【００１５】
図４および図５は、恒温高湿庫１の収容庫２０上部の分解図である。図６は、露受け機構３０の側面図である。
収容庫２０の天面２１には、露受け機構３０が固定されている。天面２１は、後方に向けて斜め下方に傾斜している。露受け機構３０は、この天面２１に沿う位置に、後方に向けて斜め下方に傾斜する形で収容庫２０の庫内上部に配置されている。
【００１６】
図４および図５に示すように、露受け機構３０は、収容庫２０に結露した水滴を受ける露受け部材４０と、露受け部材４０と天面２１とを固定する固定部材６０と、露受け部材４０と固定部材６０とを固定するリベット（固定具）５０と、を備えている。
天面２１に結露した水滴は、露受け部材４０に落下し、露受け機構３０により収容庫２０の背面２３に案内される。
【００１７】
より詳細に露受け機構３０の構成を説明する。
図４から図６に示すように、露受け部材４０は、天面２１に結露した主な水滴を受ける第１受け部４１と、第１受け部４１の前端（前端部）４１ａから上方に立ち上がる第２受け部４３とを備える。第２受け部４３は、前端（前端部）４１ａの左右方向全体に渡って形成されている。露受け部材４０は、一枚の板金を折り曲げることにより形成されている。
また、露受け部材４０は、第１受け部の後端部４１ｂから下方に延びる支持部４５を備えている。支持部４５は、第１受け部４１の左右方向全体に渡って形成されている。この支持部４５は、背面２３に固定される。
第１受け部４１は、図６に示すように、その両端部から立ち上がる横壁部２７を備える。横壁部２７は、第１受け部４１の前後方向全体に渡って形成されている。横壁部２７は、天面２１から第１受け部４１に落下した水滴が、左右方向に落下することを抑制する。
【００１８】
図５に示すように、露受け部材４０の内側の角度であって、第１受け部４１と第２受け部４３との間に備えられる角度を、第１受け部４１と第２受け部４３とがなす立ち上がり角度Ａとする。
第１受け部４１と第２受け部４３とがなす立ち上がり角度Ａは、鈍角となるように形成されている。
第１受け部４１と第２受け部４３とがなす立ち上がり角度Ａが、鈍角となるように形成されているため、第２受け部４３は、第１受け部４１の前端４１ａよりも、より前方に向けて立ち上がる。
【００１９】
固定部材６０は、図５に示すように、天面２１に固定される第１固定部６１と、第２受け部４３に固定される第２固定部６３と、を備えている。天面２１および第１固定部６１は、平坦に形成されている。天面２１および第１固定部６１は、第１固定部６１の下方から例えば不図示のリベットにより固定されている。
第２受け部４３および第２固定部６３は、平坦に形成されている。第２受け部４３および第２固定部６３は、第２受け部４３の前側、すなわち、露受け部材４０の外側から、リベット５０により固定されている。なお、固定具は、リベットに限定されるものではない。例えば、ビス止め等によってもよい。
【００２０】
リベット５０は、頭部５１と、胴部５３と、を備える。本実施の形態に係るリベット５０の頭部５１は、薄い丸型に形成されている。皿形等その他の形状の頭部を備えるリベットを用いてもよい。
第１受け部４１と第２受け部４３とがなす立ち上がり角度Ａが鈍角となるように形成されているため、露受け部材４０の外側から第２受け部４３および第２固定部６３を固定するリベット５０は、頭部５１が下方に位置し、胴部５３が斜め上方に向く位置において固定される。
【００２１】
第２受け部（露受け部材）４３と第２固定部（固定部材）６３とを固定した状態におけるリベット５０の高さ方向の下端の高さは、頭部５１の端部５１ａとなる。頭部５１の端部５１ａの高さは、第２受け部４３が立ち上がる起点となる第１受け部４１の前端（前端部）４１ａの高さよりも高い位置に配置される。
リベット５０に結露した水滴またはリベット５０に流れた水滴は、図３に示す矢印Ｃのように、薄い丸型に形成された頭部５１を伝い、頭部５１の端部５１ａより下方に位置する第１受け部４１へと流れる。
【００２２】
図３に示すように、断熱扉１３を閉じたとき、断熱扉１３の内面１３ａから第２受け部４３の前端４３ａまでの間には、第１の間隔Ｓ１が備えられる。
天面２１に結露した水滴は、所定の大きさとなったときに落下する。第１の間隔Ｓ１は、天面２１に結露した水滴が所定の大きさとなり自然落下する場合における当該水滴の前後方向の幅よりも狭い間隔とされている。
この場合、第１の間隔Ｓ１内の天面２１に結露した水滴は、第２受け部４３の外側に流れ、次いで、第２受け部４３の外側から第１受け部４１の外側に流れる。そのため、第１の間隔Ｓ１内の天面２１に結露した水滴が収容庫２０内へ垂れることを抑制できる。
【００２３】
また、図３に示す断熱扉１３の上部に設けられるステンレスの窓枠１３ｂも、天面２１と同様に結露する。窓枠１３ｂの外側に結露した水滴は、窓枠１３ｂに沿って下方に流れ、第１の間隔Ｓ１内の天面２１に流れる。第１の間隔Ｓ１内の天面２１に流れた水滴は、上記と同様に、第２受け部４３の外側に流れ、次いで、第２受け部４３の外側から第１受け部４１の下面に流れる。
第１の間隔Ｓ１を、天面２１に結露した水滴が自然落下する場合における前後方向の幅よりも狭い間隔としているため、ステンレスの窓枠１３ｂに結露した水滴が収容庫２０内へ垂れることを抑制できる。
【００２４】
第２受け部４３の前端４３ａと天面２１との間には、第２の間隔Ｓ２が備えられる。
天面２１に結露した水滴は、所定の大きさとなったときに落下する。第２の間隔Ｓ２は、天面２１に結露した水滴が所定の大きさとなり自然落下する場合における当該水滴の上下方向の幅よりも狭い間隔とされている。
この場合、第２受け部４３の前端４３ａの上方に位置する天面２１に結露した水滴は、第２受け部４３に流れ、次いで、第１受け部４１に流れる。そのため、第２受け部４３の前端４３ａの上方に位置する天面２１に結露した水滴が収容庫２０内へ落下することを抑制できる。
【００２５】
露受け部材４０には、親水性の塗料が塗布されている。露受け部材４０に水滴が接触した場合の接触角は、１０度以下となることが望ましい。本実施の形態における露受け部材４０に水滴が接触した場合の接触角は、親水性の塗料を塗布することにより、５度とされている。
露受け部材４０に水滴が接触した場合の接触角を１０度以下と小さくすることにより、露受け部材４０の親水性を高くすることができ、第１の間隔Ｓ１内の天面２１に結露した水滴、ステンレスの窓枠１３ｂに結露した水滴、および第２受け部４３の前端４３ａの上方に位置する天面２１に結露した水滴等を、第２受け部４３に案内しやすくなる。ひいては、これら水滴を、第１受け部４１に案内しやすくなる。これにより、水滴が収容庫２０内へ落下することを抑制できる。
【００２６】
次に、本実施形態の作用について説明する。
天面２１に結露した水滴は、第１受け部４１の上面に落下し、第１受け部４１に案内され、収容庫２０の後方に流れる。
天面２１の前端部側に結露した水滴は、第２受け部４３に流れ、第１受け部４１の上面に案内され、収容庫２０の後方に流れる。
リベット５０の頭部５１に結露した水滴は、頭部５１の端部５１ａから第２受け部４３の外側に流れ、次いで、第１受け部４１の下面に案内され、収容庫２０の後方に流れる。
【００２７】
以上説明したように、本実施の形態では、収容庫２０の天面２１に結露した水滴を受ける露受け部材４０を、リベット（固定具）５０により収容庫２０の上部に固定した恒温高湿庫１において、露受け部材４０は、収容庫２０に結露した主な水滴を受ける第１受け部４１と、第１受け部４１の前端（前端部）４１ａから上方に立ち上がる第２受け部４３と、を備え、第２受け部４３はリベット５０により固定され、第１受け部４１と第２受け部４３とがなす立ち上がり角度Ａを、鈍角とした。
これによれば、露受け部材４０は前方に角度をつけた段階的形状を備えるので、露受け部材４０を収容庫２０の前端部分にまで配置することが容易となり、収容庫２０天面の前端部側に結露した水滴を露受け部材４０により受けることが容易となり、収容庫２０天面の前端部側に結露した水滴が収容庫を内に垂れることを抑制できる。
また、露受け部材４０を断熱扉１３の内面１３ａと接触させることなく、露受け部材４０を収容庫２０の前端部分に配置できる。
【００２８】
また、本実施の形態によれば、露受け部材４０を固定した状態におけるリベット（固定具）５０の高さ方向の下端の高さである頭部５１の端部５１ａは、第２受け部４３が立ち上がる第１受け部の前端（前端部）４１ａの高さよりも上方に配置した。
これによれば、リベット５０自身に結露した水滴は、端部５１ａから第２受け部４３に流れ、次いで、第２受け部４３から第１受け部４１に流れる。そのため、リベット５０自身に結露した水滴が収容庫２０内に垂れることを抑制できる。
【００２９】
また、本実施の形態によれば、露受け部材４０は、親水性であり、露受け部材４０に水滴が付着したときの接触角を５度としている。
これによれば、収容庫２０の天面２１近傍に結露した水滴を露受け部材４０に水滴を導くことが容易となり、結露した水滴が収容庫２０内に垂れることを抑制できる。
【００３０】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００３１】
１  恒温高湿庫
３  冷却室
５  機械室
１１  断熱箱
１３  断熱扉
１３ａ  内面
１３ｂ  窓枠
２０  収容庫
２１  天面
３０  露受け機構
４０  露受け部材
４１  第１受け部
４１ａ  第１受け部の前端（前端部）
４３  第２受け部
５０  リベット（固定具）
５１  頭部
５１ａ  頭部の端部（リベットの高さ方向の下端の高さ）
５３  胴部
６０  固定部材
６１  第１固定部
６３  第２固定部
Ａ  第１受け部と第２受け部とがなす立ち上がり角度
Ｓ１  第１の間隔
Ｓ２  第２の間隔
【図１】
2019045005.tif 000003
【図２】
2019045005.tif 000004
【図３】
2019045005.tif 000005
【図４】
2019045005.tif 000006
【図５】
2019045005.tif 000007
【図６】
2019045005.tif 000008